(57)【要約】      （修正有）【課題】押え金具を用いてドライバーで極めて簡単に施工でき、人件費を大幅に削減して施工コストを低減させることができ、更に押え金具は簡単な構造で軽量であり安価に施工することができる太陽光発電パネルの支持構造を提供する。【解決手段】屋根３の上に、Ｃ形チャンネル材４を、その開口部５を上に向けて、複数本間隔をおいて平行に取付け、この上に太陽光発電パネル７を、間隔をおいて複数個取付け、この隣接する太陽光発電パネル７間の隙間に、逆ハット形の押え金具９を、隣接する太陽光発電パネル７の上面縁部を押えるように挿入して、押え金具９の底板部９Ａから、ドリル付きねじ６で前記Ｃ形チャンネル材４の上板部４Ｃに固定して、太陽光発電パネル７を支持したものである。【選択図】図３
0003202583.tif 000002
【実用新案登録請求の範囲】
【請求項１】
屋根また架台の上にＣ形チャンネル材を、その開口部を上に向けて、複数本間隔をおいて平行に取付け、この上に太陽光発電パネルを、」間隔をおいて複数個取付け、この隣接する太陽光発電パネル間の隙間に、逆ハット形の押え金具を、隣接する太陽光発電パネルの上面縁部を押えるように挿入して、押え金具の底板部を、ドリル付きねじで前記Ｃ形チャンネル材上部の上板部に固定して、太陽光発電パネルを支持したことを特徴とする太陽光発電パネルの支持構造。
【請求項２】
屋根が、折り曲げ鋼板または波板鋼板で形成されていることを特徴とする請求項１記載の太陽光発電パネルの支持構造。
【請求項３】
逆ハット形の押え金具が、鋼板またはアルミニウムで成形されていることを特徴とする請求項１記載の太陽光発電パネルの支持構造。
【考案の詳細な説明】
【技術分野】
【０００１】
本考案は、施工性を向上させた太陽光発電パネルの支持構造に関するものである。
【背景技術】
【０００２】
近年、二酸化炭素排出を削減するために、太陽光発電が普及し、空き地や農地、ビルや住宅の屋根などに太陽光発電パネルを取付けることが行なわれている。例えば折り曲げ鋼板で形成された金属製屋根の山形の頂部に取付ける場合、パネル用架台は、永久磁石を装備した複数の取付装置を金属製屋根の上部に吸着固定し、ここに太陽光発電パネルを取付ける構造（特許文献１）が提案されている。
【０００３】
この構造は金属製屋根に永久磁石を取付けるので、取付用のビスや釘などによる傷を付けたりしないので、防水処理も不要であり、雨漏りの心配が全くなくなる利点がある。しかしながら永久磁石の磁力だけで吸着させるので、激しい風雨や、積雪などにより落下する恐れがあり信頼性に乏しく、しかも吸着力の大きい永久磁石を多数用いるので高価になる問題がある。
【０００４】
また太陽光発電パネルの外周枠に予めアングル材を取付けておき、このアングル材を介して、架台又は屋根側に取付け固定する構造（特許文献２）も提案されている。これは強風にも耐えられる堅牢な構造であるが、予め太陽光発電パネルの外周枠にアングル材を固定する作業が必要となる上、現場でアングル材と架台を合わせる作業が面倒であり作業性が悪い欠点があった。
【先行技術文献】
【特許文献】
【０００５】
【特許文献１】特開２０１３−４０４６２号公報
【特許文献２】特開２００５−９８０５８号公報
【考案の開示】
【考案が解決しようとする課題】
【０００６】
本考案は上記問題を改善し、押え金具を用いてドライバーで極めて簡単に施工でき、人件費を大幅に削減して施工コストを低減させ、しかも押え金具は簡単な構造で軽量であり安価に施工できる太陽光発電パネルの支持構造を提供するものである。
【課題を解決するための手段】
【０００７】
本考案の請求項１記載の太陽光発電パネルの支持構造は、屋根また架台の上に、Ｃ形チャンネル材を、その開口部を上に向けて、複数本間隔をおいて平行に取付け、この上に太陽光発電パネルを、間隔をおいて複数個取付け、この隣接する太陽光発電パネル間の隙間に、逆ハット形の押え金具を、隣接する太陽光発電パネルの上面縁部を押えるように挿入して、押え金具の底板部を、ドリル付きねじで前記Ｃ形チャンネル材上部の上板部に固定して、太陽光発電パネルを支持したことを特徴とするものである。
【０００８】
本考案の請求項２記載の太陽光発電パネルの支持構造は、請求項１において、屋根が、折り曲げ鋼板または波板鋼板で形成されていることを特徴とするものである。
【０００９】
本考案の請求項３記載の太陽光発電パネルの支持構造は、請求項１において、逆ハット形の押え金具が、鋼板またはアルミニウムで成形されていることを特徴とするものである。
【考案の効果】
【００１０】
本考案に係る請求項１記載の太陽光発電パネルの支持構造によれば、逆ハット形の押え金具を、隣接する太陽光発電パネルの上面縁部を押えるように隣接する太陽光発電パネルの間に挿入して、押え金具の底板部を、ドリル付きねじでＣ形チャンネル材の左右の上板部に固定するだけなので、ドライバーだけで極めて簡単に施工でき、人件費を大幅に削減して施工コストを低減させることができる。更にＣ形チャンネル材と逆ハット形の押え金具は構造が簡単で軽量なので安価に製造することができる。
【００１１】
また請求項２記載の太陽光発電パネルの支持構造によれば、屋根が、折り曲げ鋼板または波板鋼板で形成されている工場や倉庫などの屋根にも簡単に取付けることができる。
【００１２】
また請求項３記載の太陽光発電パネルの支持構造によれば、逆ハット形の押え金具が、鋼板またはアルミニウムで成形されて断面形状が単純なので、強度が高く安価に製造することができる。特にアルミニウムの押出し材で形成したものは安価である。
【図面の簡単な説明】
【００１３】
【図１】本考案の実施の一形態による折り曲げ鋼板で形成した屋根の上に取付けた太陽光発電パネルの支持構造を示す正面図である。
【図２】図１の逆ハット形の押え金具部分の中央拡大断面図である。
【図３】図１の太陽光発電パネルの支持構造を示す斜視図である。
【図４】本考案の他の実施の形態による、架台に取付けた太陽光発電パネルの支持構造を示す斜視図である。
【考案を実施するための最良の形態】
【００１４】
以下本考案の実施の一形態を図１ないし図３を参照して詳細に説明する。図において１は太陽光発電パネルの支持構造を示すもので、鋼板を連続的に三角形状に折り曲げた折り曲げ鋼板２で形成した屋根３の上に、三角形の山と直交してＣ形チャンネル材４がその開口部５を上に向けて横方向に載置し、図２に示すように底板部４Ａの上から、ドリル付きねじ６で折り曲げ鋼板２の上部に固定されている。このＣ形チャンネル材４は屋根３の傾斜に沿って間隔をおいて平行に複数本取付けられている。
【００１５】
この平行に複数本取付けられたＣ形チャンネル材４の上に、図１に示すように太陽光発電パネル７が横方向に間隔をおいて載置されている。９は鋼板またはアルミニウムなどの金属で成形された逆ハット形の押え金具で、これは底板部９Ａの左右に側板部９Ｂを設け、その上部左右に平板部９Ｃを外側に向かって折り曲げて形成されている。この逆ハット形の押え金具９を、隣接して載置された太陽光発電パネル７の間の隙間に差し込んでＣ形チャンネル材４に固定されている。
【００１６】
この固定方法は図３に示すように、一方の太陽光発電パネル７を載置したＣ形チャンネル材４の上に太陽光発電パネル７の側面を押えるよう逆ハット形の押え金具９の側板部９Ｂを当接すると共に、上面縁部を押えるように上板部９Ｃを取付けた後、逆ハット形の押え金具９の反対側の側板部９Ｂと上板部９Ｃとの間に隣接する太陽光発電パネル７の片側を挿入する。
【００１７】
次に逆ハット形の押え金具９の底板部９ＡからＣ形チャンネル材４の開口部５の両側の上板部４Ｃに向けてドライバーでドリル付きねじ６Ａをねじ込んで固定する。このようにＣ形チャンネル材４の上に順次太陽光発電パネル７を、間隔をおいて並べ、その隙間に逆ハット形の押え金具９を挿入して、ドリル付きねじ６でＣ形チャンネル材４に固定していく。
【００１８】
従って、この逆ハット形の押え金具９を用いた施工方法は、ドライバーでドリル付きねじ６をねじ込むだけで極めて簡単に施工でき、従来の３分の１の作業者で施工でき、人件費を大幅に削減して施工コストを低減させることができる。ハット形の押え金具９は、断面形状が単純なので、強度が高く安価に製造することができる。
【００１９】
図４は本考案の他の実施の形態を示すもので、地面の上に高さの異なる複数本の支柱１２を立設し、この上端に横パイプ１３を取付けて架台１４を作製する。更に横パイプ１３と直交して複数本のＣ形チャンネル材４を横方向に間隔をおいて傾斜して取付ける。このＣ形チャンネル材４の最下部に、これと直交して逆ハット形の押え金具９を取付け、その底板部９ＡからＣ形チャンネル材４の開口部５の両側の上板部４Ｃに向けてドライバーでドリル付きねじ６Ａをねじ込んで固定する。
【００２０】
次に逆ハット形の押え金具９の片側の側板部９Ｂと上板部９Ｃとの間に太陽光発電パネル７の片側を挿入し、その上面縁部を押えるように上板部９Ｃを取付た後、底板部９ＡからＣ形チャンネル材４の上板部４Ｃに向けてドライバーでドリル付きねじ６Ａをねじ込んで固定する。このようにＣ形チャンネル材４の上に順次太陽光発電パネル７を、間隔をおいて並べながら、その隙間に逆ハット形の押え金具９をＣ形チャンネル材４に固定していく。
【００２１】
なお上記説明で屋根３として、連続的に三角形状に折り曲げた折り曲げ鋼板２で形成した場合について示したが、波板鋼板で形成されている工場や倉庫などの屋根にも取付けることができる。
【符号の説明】
【００２２】
１    太陽光発電パネルの支持構造                            
２    折り曲げ鋼板                                          
３    屋根                                                  
４    Ｃ形チャンネル材                                      
４Ａ  底板部                                                
４Ｂ  側板部                                                
４Ｃ  上板部                                                
５    開口部                                                
６    ドリル付きねじ                                        
７    太陽光発電パネル                                      
９    逆ハット形の押え金具                                  
９Ａ  底板部                                                
９Ｂ  側板部                                                
９Ｃ  上板部                                                
１２  支柱                                                  
１３  横パイプ                                              
１４  架台                                                  
【図１】
0003202583.tif 000003
【図２】
0003202583.tif 000004
【図３】
0003202583.tif 000005
【図４】
0003202583.tif 000006